(57)【要約】【課題】  一の入力デバイスを認識させる一連の接触動作において、タッチパネル面と対面する入力デバイスの一の面を動的に替えることができる機構を採用して、対面する前記一の面の数によって接触子の全体数を増やすことができる入力デバイスを提供する。【解決手段】  周回壁に周設してなる複数の接触子をタッチパネルに接触させて該タッチパネルに対して列状に接触情報を入力する入力デバイスであって、前記各接触子はタッチパネルに順次列毎に接触する一連の接触動作において個別に認識される配置構成に設けられ、予め設定された接触子列を接触情報によるタッチパネルへの認識開始列として定義されている入力デバイス。【選択図】図１
2018092556.tif 000002
【特許請求の範囲】
【請求項１】
周回壁に周設してなる複数の接触子をタッチパネルに接触させて該タッチパネルに対して列状に接触情報を入力する入力デバイスであって、前記各接触子はタッチパネルに順次列毎に接触する一連の接触動作において個別に認識される配置構成に設けられ、予め設定された接触子列を接触情報によるタッチパネルへの認識開始列として定義されていることを特徴とする入力デバイス。
【請求項２】
周回壁に周設してなる複数の接触子をタッチパネルに接触させて該タッチパネルに対して列状に接触情報を入力する入力デバイスであって、前記各接触子はタッチパネルに順次列毎に接触する一連の接触動作において個別に認識される配置構成に設けられ、前記周回壁を跨いで一方端から他方端に向かって走る前記接触子の所望配置列中、特定配置列の接触子列を接触情報によるタッチパネルへの認識開始列として定義されていることを特徴とする入力デバイス。
【請求項３】
人手に把持されて一連の接触動作が実行されると共に、タッチパネルに対して人手に由来する静電容量変化を与える請求項１又は請求項２記載の入力デバイス。
【請求項４】
支持軸と、該支持軸に軸着されて周回壁に複数の接触子を配置したローラ体と、支持軸によりローラ体を軸受する把持部とからなり、タッチパネル面上でローラ体を転動させて該タッチパネルに対して接触子による一連の接触動作における静電容量変化を与える入力デバイスであって、前記支持軸を介して前記把持部と前記接触子とが導通状態にあり、前記ローラ体の周回壁を挟む両端の一方端辺から他方端辺に向かって走る前記接触子の所望配置列中、特定配置列の接触子列を静電容量変化によるタッチパネルへの認識開始列として定義されていることを特徴とする入力デバイス。
【請求項５】
接触子は支持軸に対して平行に整然と整列する位置の所望位置に周回配置されており、所望配置列が支持軸に対して平行に走る接触子の配置列であり、当該複数の所望配置列中、少なくとも一つの配置列を特定配置列の接触子列とする請求項４記載の入力デバイス。
【請求項６】
特定配置列の接触子列が支持軸に連動する位置決め機構により周回壁における所定位置に保持される請求項５記載の入力デバイス。
【請求項７】
所望配置列が支持軸に対して角度を有して走る接触子の配置列であり、当該複数の所望配置列中、少なくとも一つの配置列を特定配置列の接触子列とする請求項４記載の入力デバイス。
【請求項８】
検知した接触情報を座標情報として認識するタッチパネルと画像を表示する表示パネルとを備えてなるコンピュータと、
周回壁に周設してなる複数の接触子を前記タッチパネルに順次列毎に接触させる一連の転動による接触動作によって当該タッチパネルに対して時系列に当該列毎の接触情報を与える入力デバイスと、
前記座標情報に基づく接点情報及び／又は無接点情報からなる接点パターン配置列を前記時系列に構成してなる接点パターン情報を記憶する接点パターン情報記憶手段と、
前記タッチパネルに接触する接触子列に基づく、前記周回壁に周設された接触子の配置列からなる配列パターン情報と該配列パターン情報に含まれる前記入力デバイスを特定する開始配置列となる特定配置列とを記憶する配列パターン情報記憶手段と、
前記接点パターン情報記憶手段に記憶されている前記接点パターン情報を構成する各列に前記配列パターン情報記憶手段に記憶されている前記特定配置列に相当する配列の接点パターン配置列が存在するか否かを判断する第一判断手段と、
前記特定配置列に相当する配列の接点パターン配置列が存在すると判断した場合には、当該接点パターン配置列を前記入力デバイスを特定する認識開始列として当該接点パターン配置列を含んで当該接点パターン配置列以降に順次配列されている接点パターン配置列の群からなる接点パターン情報に相当する接触子の配置列が前記配置パターン情報に存在するか否かを判断する第二判断手段と、
存在すると判断した場合に適合したことを表す画像を前記表示パネルに表示させる表示制御手段と、を備えてなる入力デバイス特定システム。
【請求項９】
検知した接触情報を座標情報として認識するタッチパネルと画像を表示する表示パネルとを備え、取得した座標情報を出力する出力手段を有するコンピュータと、
周回壁に周設してなる複数の接触子を前記タッチパネルに順次列毎に接触させる一連の転動による接触動作によって当該タッチパネルに対して時系列に当該列毎の接触情報を与える入力デバイスと、
前記座標情報を受信する受信手段、前記座標情報に基づく接点情報及び／又は無接点情報からなる接点パターン配置列を前記時系列に構成してなる接点パターン情報を記憶する接点パターン情報記憶手段、前記タッチパネルに接触する接触子列に基づく、前記周回壁に周設された接触子の配置列からなる配列パターン情報と該配列パターン情報に含まれる前記入力デバイスを特定する開始配置列となる特定配置列とを記憶する配列パターン情報記憶手段、前記接点パターン情報記憶手段に記憶されている前記接点パターン情報を構成する各列に前記配列パターン情報記憶手段に記憶されている前記特定配置列に相当する配列の接点パターン配置列が存在するか否かを判断する第一判断手段、前記特定配置列に相当する配列の接点パターン配置列が存在すると判断した場合には、当該接点パターン配置列を前記入力デバイスを特定する認識開始列として当該接点パターン配置列を含んで当該接点パターン配置列以降に順次配列されている接点パターン配置列の群からなる接点パターン情報に相当する接触子の配置列が前記配置パターン情報に存在するか否かを判断する第二判断手段及び存在すると判断した場合に適合したことを表す画像を前記表示パネルに表示させる表示制御信号を出力する出力手段を含んで構成されているサーバと、を備えてなる入力デバイス特定システム。
【発明の詳細な説明】
【技術分野】
【０００１】  本発明は、タッチパネルと表示パネルとを有するパネルモジュール（以下、単に「タッチパネル」という。）に接触情報を入力するための入力デバイス及び入力デバイス特定システムに関するものである。
【背景技術】
【０００２】  複数の接触座標を検出するタッチパネルを備えたスマートフォンやタブレット等のスマートデバイス（携帯通信機器）が知られている。当該タッチパネルには、透明電極からなる金属薄膜を対向して積層してなり電圧変化を検知する抵抗膜方式、ガラス基板に圧電素子を取り付けてなり圧電素子の電圧発生を検出する表面弾性波方式、電子ペンを用いる電磁誘導方式、静電容量の変化によって接触位置を検出する静電容量方式等を採用したタッチパネルが存在する。【０００３】  前記タッチパネルの機能を利用して複数の接点座標を入力する入力デバイスが提案され（例えば、特許文献１、２参照）、汎用されている。これら従来の入力デバイスは、タッチパネル面と対面するその底面に複数の接部を備えており、当該接部の配置パターンをタッチパネルが接点パターンとして認識することによって、タッチパネルに載置、接触、近接（以下、総称して「接触」ともいう。）した入力デバイスを識別するようになっている。
【先行技術文献】
【特許文献】
【０００４】
【特許文献１】特開２０１２−９９０９３号公報
【特許文献２】特開２０１２−１６８６１２号公報
【発明の概要】
【発明が解決しようとする課題】
【０００５】  タッチパネルに用いられる入力デバイスは手で持って操作するものが主流となっており、子供を含む操作者の片手に収まる形状であることが要望されている。そのため、タッチパネルに接触させる接触子（接部）を一面に配置する従来の入力デバイスでは、タッチパネル面と対面する接触子の配置面積に制限され、当該配置面積を広く確保できないという問題点があった。また、従来の入力デバイスは、いずれも、一度の接触動作によりタッチパネル面と対面した全ての接触子の接触座標を検出させて特定するものであるから、タッチパネル面と対面する一つの面に、認識のための全ての接触子を配置しなければならないという問題点があった。さらに、タッチパネル面と対面する全面に全ての接触子を配置した場合には、対面する全面がタッチパネル面の大部分を覆って入力デバイスを特定できたことを表す表示画像が隠れてしまい、操作者が視認できないという問題点があった。【０００６】  そこで、本発明は、一の入力デバイスを認識させる接触動作において、タッチパネル面と対面する入力デバイスの一の面を動的に替えることができる機構を採用すれば、一の入力デバイスを認識させる一連の接触動作においては、対面する前記一の面の数によって接触子の全体数を増やすことができるという知見を得て、前記技術的課題を達成したものである。
【課題を解決するための手段】
【０００７】  前記技術的課題は、次の通りの本発明によって解決できる。【０００８】  即ち、本発明に係る入力デバイスは、周回壁に周設してなる複数の接触子をタッチパネルに接触させて該タッチパネルに対して列状に接触情報を入力する入力デバイスであって、前記各接触子はタッチパネルに順次列毎に接触する一連の接触動作において個別に認識される配置構成に設けられ、予め設定された接触子列を接触情報によるタッチパネルへの認識開始列として定義されているものである。【０００９】  また、本発明に係る入力デバイスは、周回壁に周設してなる複数の接触子をタッチパネルに接触させて該タッチパネルに対して列状に接触情報を入力する入力デバイスであって、前記各接触子はタッチパネルに順次列毎に接触する一連の接触動作において個別に認識される配置構成に設けられ、前記周回壁を跨いで一方端から他方端に向かって走る前記接触子の所望配置列中、特定配置列の接触子列を接触情報によるタッチパネルへの認識開始列として定義されているものである。【００１０】  また、本発明は、前記いずれかの入力デバイスにおいて、人手に把持されて一連の接触動作が実行されると共に、タッチパネルに対して人手に由来する静電容量変化を与えるようにしたものである。【００１１】  また、本発明に係る入力デバイスは、支持軸と、該支持軸に軸着されて周回壁に複数の接触子を配置したローラ体と、支持軸によりローラ体を軸受する把持部とからなり、タッチパネル面上でローラ体を転動させて該タッチパネルに対して接触子による一連の接触動作における静電容量変化を与える入力デバイスであって、前記支持軸を介して前記把持部と前記接触子とが導通状態にあり、前記ローラ体の周回壁を挟む両端の一方端辺から他方端辺に向かって走る前記接触子の所望配置列中、特定配置列の接触子列を静電容量変化によるタッチパネルへの認識開始列として定義されているものである。【００１２】  また、本発明は、前記入力デバイスにおいて、接触子は支持軸に対して平行に整然と整列する位置の所望位置に周回配置されており、所望配置列が支持軸に対して平行に走る接触子の配置列であり、当該複数の所望配置列中、少なくとも一つの配置列を特定配置列の接触子列とするものである。【００１３】  また、本発明は、前記入力デバイスにおいて、特定配置列の接触子列が支持軸に連動する位置決め機構により周回壁における所定位置に保持されるものである。【００１４】  また、本発明は、前記入力デバイスにおいて、所望配置列が支持軸に対して角度を有して走る接触子の配置列であり、当該複数の所望配置列中、少なくとも一つの配置列を特定配置列の接触子列とするものである。【００１５】  また、本発明に係る入力デバイス特定システムは、検知した接触情報を座標情報として認識するタッチパネルと画像を表示する表示パネルとを備えてなるコンピュータと、周回壁に周設してなる複数の接触子を前記タッチパネルに順次列毎に接触させる一連の転動による接触動作によって当該タッチパネルに対して時系列に当該列毎の接触情報を与える入力デバイスと、前記座標情報に基づく接点情報及び／又は無接点情報からなる接点パターン配置列を前記時系列に構成してなる接点パターン情報を記憶する接点パターン情報記憶手段と、前記タッチパネルに接触する接触子列に基づく、前記周回壁に周設された接触子の配置列からなる配列パターン情報と該配列パターン情報に含まれる前記入力デバイスを特定する開始配置列となる特定配置列とを記憶する配列パターン情報記憶手段と、前記接点パターン情報記憶手段に記憶されている前記接点パターン情報を構成する各列に前記配列パターン情報記憶手段に記憶されている前記特定配置列に相当する配列の接点パターン配置列が存在するか否かを判断する第一判断手段と、前記特定配置列に相当する配列の接点パターン配置列が存在すると判断した場合には、当該接点パターン配置列を前記入力デバイスを特定する認識開始列として当該接点パターン配置列を含んで当該接点パターン配置列以降に順次配列されている接点パターン配置列の群からなる接点パターン情報に相当する接触子の配置列が前記配列パターン情報に存在するか否かを判断する第二判断手段と、存在すると判断した場合に適合したことを表す画像を前記表示パネルに表示させる表示制御手段と、を備えてなるものである。【００１６】  さらに、本発明に係る入力デバイス特定システムは、検知した接触情報を座標情報として認識するタッチパネルと画像を表示する表示パネルとを備え、取得した座標情報を出力する出力手段を有するコンピュータと、周回壁に周設してなる複数の接触子を前記タッチパネルに順次列毎に接触させる一連の転動による接触動作によって当該タッチパネルに対して時系列に当該列毎の接触情報を与える入力デバイスと、前記座標情報を受信する受信手段、前記座標情報に基づく接点情報及び／又は無接点情報からなる接点パターン配置列を前記時系列に構成してなる接点パターン情報を記憶する接点パターン情報記憶手段、前記タッチパネルに接触する接触子列に基づく、前記周回壁に周設された接触子の配置列からなる配列パターン情報と該配列パターン情報に含まれる前記入力デバイスを特定する開始配置列となる特定配置列とを記憶する配列パターン情報記憶手段、前記接点パターン情報記憶手段に記憶されている前記接点パターン情報を構成する各列に前記配列パターン情報記憶手段に記憶されている前記特定配置列に相当する配列の接点パターン配置列が存在するか否かを判断する第一判断手段、前記特定配置列に相当する配列の接点パターン配置列が存在すると判断した場合には、当該接点パターン配置列を前記入力デバイスを特定する認識開始列として当該接点パターン配置列を含んで当該接点パターン配置列以降に順次配列されている接点パターン配置列の群からなる接点パターン情報に相当する接触子の配置列が前記配列パターン情報に存在するか否かを判断する第二判断手段及び存在すると判断した場合に適合したことを表す画像を前記表示パネルに表示させる表示制御信号を出力する出力手段を含んで構成されているサーバと、を備えてなるものである。
【発明の効果】
【００１７】  本発明によれば、周回壁に接触子を複数配置してタッチパネル面上を転動する一連の接触動作を実施するようにしたので、接触子が列状にタッチパネル面に接触して順次接触情報が入力されるから、タッチパネル面と対面する面の広さを考慮することなく、前記周回壁の広さに応じて接触子の配置列を増やすことができる。
【図面の簡単な説明】
【００１８】
【図１】  本発明の一実施の形態を示す入力デバイスの斜視図である。
【図２】  図１に図示する入力デバイスの概略正面図である。
【図３】  図１に図示する入力デバイスの概略側面図である。
【図４】  図１に図示する入力デバイスの一連の接触動作を説明する斜視図である。
【図５】  図４に図示する一連の接触動作によるタッチパネル上の接触軌跡を説明する図である。
【図６】  接触子の接触面の形状と配置パターンを説明する、ローラ体を平面に広げた状態を模した図である。
【図７】  支持軸に連動する位置決め機構の一例を説明する入力デバイスの概略正面図である。
【図８】  図７に図示する位置決め機構を説明する入力デバイスの概略側面図である。
【図９】  図７に図示する位置決め機構の動作を説明する図である。
【図１０】  支持軸に連動する位置決め機構の一例を説明する図である。
【図１１】  把持部の一例を説明する斜視図である。
【図１２】  図１１に図示する押えバネの働きを説明する図である。
【図１３】  本発明の実施の形態２におけるスマートデバイスのブロック図である。
【図１４】  図１３に図示する外部メモリのブロック図である。
【図１５】  イベント取得プログラムのフローチャート図である。
【図１６】  入力デバイス特定プログラムのフローチャート図である。
【図１７】  本発明の一実施の形態を示す入力デバイス特定システムの斜視図である。
【図１８】  図１７に図示する認証サーバのブロック図である。
【図１９】  接点パターン情報を説明する図である。
【図２０】  所望配置列及び特定配置列を説明する図である。
【図２１】  所望配置列及び特定配置列の変形例を説明する図である。
【図２２】  所望配置列及び特定配置列の変形例を説明する図である。
【発明を実施するための形態】
【００１９】  以下、本発明の実施の形態を図面に基づき説明する。
【００２０】実施の形態１．
【００２１】  図１において、１はロータリー式の入力デバイスであり、導電性（例えば金属製）支持軸２と、該支持軸２を回転軸として中心に位置付けて長手方向に向かって挿着した円筒状ローラ体３と、ローラ体３の側方両側から支持軸２を軸受する両側板４，５とローラ体３の周回壁６を跨いで該両側板４，５に架設した持ち手部７とからなるコ字状把持部８とを備えて構成されており、ローラ体３の周回壁６には、周回壁６を挟む両端面９、１０（図２参照）の一方端周辺（一方端辺）１１から他方端周辺（他方端辺）１２に向かって支持軸２に対して平行に走る列状に配置した接触子１３が嵌設され、ローラ体３の一方端面９と把持部８の一方側板４との間には間隙が形成されて支持軸２をネジ巻き取り方向に付勢するぜんまいバネ１４が装着され、ぜんまいバネ１４の内巻き側の端部位１４ａ（図３参照）は当該間隙に露出した支持軸２に食い込んで固定され、外巻き側の端部位１４ｂはぜんまいバネ１４の固定用に形成された一方側板４の側壁から幅を有して直角に形成された補助側板４’に固定して取り付けられており、当該ぜんまいバネ１４に巻取・巻戻力が働いていない初期の付勢状態において、前記接触子１３の配置列（所望配置列）中、特定の配置パターンからなる接触子配置列を特定配置列として最初にタッチパネル１５（図２参照）に接触するように入力デバイス１の底面側に位置付けられている。また、前記接触子１３と前記支持軸２と前記把持部８とは導電性を有し、前記接触子１３は前記支持軸２を介して把持部８と導通状態にある。
【００２２】  また、前記ローラ体３の周回壁６には、支持軸２に対して平行に走る方向を横列、ローラ体３の周回方向を縦列として接触子１３を横８列、縦４列に整然と整列して並ぶ複数の嵌着孔１６が格子状に形成されており、当該嵌着孔１６中の所望の嵌着孔１６に接触子１３が嵌め込まれている。
【００２３】  すなわち、横８列の各列に並ぶ嵌着孔１６を横列方向に繋いだ線を配置列線１７（図５参照）とし、当該各配置列線１７における嵌着孔１６に所望のパターンに従って接触子１３が嵌設され、前記配置列線１７上に嵌設された接触子列を接触子１３の各所望配置列１８としている。従って、入力デバイス１毎に異なる配置パターンが形成される。
【００２４】  そして、前記初期の付勢状態においては、各所望配置列１８中、設定された一つの配置列を特定配置列１９の接触子列とし、当該接触子列をタッチパネル１５への認識開始列としてタッチパネル１５面に対面する位置に位置付けて付勢される。従って、位置決め機構は、前記初期の付勢状態において特定配置列１９の接触子１３の列が最初にタッチパネル１５へ接触する位置（位置決め機構により周回壁における所定位置）へ位置付けられるように付勢するぜんまいバネ１４の配置構成を含んでいる。
【００２５】  さらに、配置列線１７上の各接触子１３は、タッチパネル１５に対する一連の接触動作に基づき順次列毎に接触するので、横列における隣接する接触子１３間の隙間幅と縦列における隣接する接触子１３間の隙間幅とはタッチパネル１５が接触子１３を個別に識別できる配置構成に設けられている。なお、２０は人手（図２参照）、２１はタッチパネル１５を備えるスマートデバイスであり（図４参照）、当該スマートデバイス２１は、制御部、演算部、内部記憶部、外部記憶部及び通信部を含んで構成されており、所謂、コンピュータでもある。
【００２６】  次に、一連の接触動作について説明する。
【００２７】  図３に示すように、操作者が入力デバイス１を手２０に持ち（把持）、持ち上げた状態においては、前記ぜんまいバネ１４の初期付勢により入力デバイス１の特定配置列１９の接触子１３の列がタッチパネル１５の面と対面する位置（把持部８を人手２０にて把持して持ち上げた際の鉛直真下位置）に位置付けられる。
【００２８】  続いて、入力デバイス１をタッチパネル１５に載置すれば、接触子１３は前記支持軸２を介して持ち手部８と導通状態にあるから、特定配置列１９の接触子１３がタッチパネル１５に接触してタッチパネル１５と接触子１３の接触面１３’との間に静電容量変化が発生し、当該静電容量変化が発生したタッチパネル１５での座標情報がタッチパネル１５を介してスマートデバイス２１に認識される。
【００２９】  引き続き、図４に示すように、接触子１３をタッチパネル１５に接触させた状態でローラ体３を転動して入力デバイス１を矢印方向へ移動させ、次に続く配置列の接触子１３を順次接触させる一連の接触動作により、図５に示す接触軌跡の座標情報がタッチパネル１５を介してスマートデバイス２１に認識される。この間、ぜんまいバネ１４は巻き取られていく。
【００３０】  ローラ体３が一回りした時点で入力デバイス１をタッチパネル１５から離せば、巻き取られて巻き圧が掛かったぜんまいバネ１４は巻き戻す方向に付勢されて初期状態に戻る。
【００３１】  スマートデバイス２１には、図５に示す接触パターン（接点パターン情報）の座標情報が記録されることとなり、入力デバイス１を特定するための特定配置列１９の接触子１３列が静電容量変化によるタッチパネルへの認識開始列として登録（定義）されており、当該接触子１３の列を表す座標情報を出発点とする接点・無接点情報を得て、タッチパネル１５面にて転動した入力デバイス１を特定する。
【００３２】  本実施の形態において、位置決め機構とは、内巻き側の端部位１４ａを支持軸２に食い込んで固定し、外巻き側の端部位１４ｂを側板４に固定して支持軸２に巻き付けて取り付けた装着状態と装着されたぜんまいバネ１４とを含んでいい、支持軸２に連動してぜんまいバネ１４の巻取・巻戻が発生する。また、配置列線１７は、図５において、左或いは右へ傾斜して走る配置列線１７、千鳥状に走る配置列線１７であってもよく、その際の所望配置列１８は、前記何れかの配置列線１７を採用してなる当該列線１７上の各接触子列をいい、特定配置列１９は、前記所望配置列１８のいずれかの配置列を採用することとなる。また、ローラ体３は円筒でなくてもよく、縦切断面が星形状、側端面の辺が山谷に周回して走る凹凸状を有するローラ体であってもよく、この場合には、周回壁を凸状に走る畝に接触子１３を配置すればよい。また、各部材は導電性物質を含有する樹脂成型品により形成したものであってもよい。さらに、接触子１３の接触面１３’がタッチパネル１５へ安定して同じ押圧で接触するように、ローラ体３の径より幅広で且つ接触面１３’の高さを超えない径の扁平円板のガイド（図示せず。）を端面９，１０に替えて或いは端面９，１０と共に構成してもよく、タッチパネル面上での滑走防止を兼ねることを期待して前記ガイドの材質を接触子の硬度より低くい硬度の材質により成形し、接触面１３’の高さを超える径のガイドとしてもよい。この場合には、ガイドの周回面と接触面１３’とをタッチパネル面に接触した状態でローラ体３が転動する。
【００３３】  タッチパネル１５が接触子１３を個別に認識できる配置構成とは、具体的には、例えば、ローラ体３の横列方向における隣接する接触子１３間の隙間幅を４〜８ｍｍに設定すればよく、４ｍｍ未満では静電容量の変化が不安定になるので好ましくなく、８ｍｍを超える幅では、幅が広がるに従って入力デバイス１が大きくなる可能性があるので、市場の期待に添わなくなる。また、縦列方向における隣接する配置列線上における接触子１３の関係においては、縦横整列状態では隣接する接触子１３間の隙間幅を４〜８ｍｍに設定すればよく、千鳥配列やランダム配列では、それぞれの接触子１３の接触面１３’の中心を含む位置を外して順次タッチパネル１５に接触する配置構成（図６の（ｄ）参照）となっていればよい。
【００３４】  接触子１３の接触面１３’は、図６に示すように、円形（図６の（ａ））、長方形（図６の（ｂ））、樽型形状（図６の（ｃ））及び小判形状（図６の（ｅ））であってもよい。また、接触面１３’を突出させてなる導電性シートを周回壁６に貼着するようにしてもよく、当該導電性シートを列単位に分割して成形し、その複数枚を列単位で周回壁６に貼着するようにしてもよい。なお、図６の（ｄ）には、千鳥状に設けられた嵌着孔１６の所望位置に配置されている接触子列を図示したものである。
【００３５】  次に、本実施の形態における位置決め機構の変形例について説明する。
【００３６】  図７に図示する入力デバイス１は、把持部８の少なくとも一方の側板４，５のローラ体３と対面する内側にローラ体３の回転を遮るストッパー２２が突設され、当該ストッパー２２に当接する爪片２３がローラ体３の端周辺１１，１２から突出して設けられている。なお、図７においては、ローラ体３の両側位置にストッパー２２と爪片２３とを設けた場合を図示したものである。
【００３７】  図８に示すように、爪片２３がストッパー２２に当接している状態においては、ローラ体３は、矢印Ｂ方向には回転できない固定された位置にあり、タッチパネル１５に接触している接触子１３の横列が特定配置列１９である。
【００３８】  そして、図９に示すように、タッチパネル１５面上を矢印Ａ方向へ転がせば、タッチパネル１５面と対面する接触子１３の接触面１３’列（一の面）が、図９の（ａ）、図９の（ｂ）及び図９の（ｃ）に示すように、動的に入れ替わって接触するので、タッチパネル１５面に接触子１３が列状に接触して順次接触情報がタッチパネル１５に入力される。
【００３９】  また、図１０に図示する位置決め機構の他の変形例では、接触子１３の各横列に対応するローラ体３の端周辺１１，１２には、ローラ体３の逆転を遮る逆転防止爪２４が上向きに周回して設けられており、ローラ体３が逆転防止爪２４を超えて矢印Ａ方向には回転でき、逆転防止爪２４を超えて矢印Ｂ方向には回転できないように、逆転防止爪２４を上から押さえて弾発させたストッパー２５が把持部８の側板４，５に固定されて突出している。これにより、ストッパー２５の跳ね返り動作によって、タッチパネル１５に対面する接触子１３の列を把握することができるので、特定配置列の接触子１３の列を特定できる。なお、図１０においては、逆転防止爪２４が他方端周辺１２に設けられ、ストッパー２５が側板５に設けられている場合を図示したものである。その外、位置決め機構として、支持軸２にラチェット機構を設けてもよい。
【００４０】  次に、本実施の形態における把持部の変形例について説明する。
【００４１】  図１１及び図１２に図示する入力デバイス１は、人手２０で持つ部位として開口下部２６を有する箱型形状のカバー型把持部２７を採用し、当該把持部２７によりローラ体３を回動可能に覆っている。そして、開口下部２６の支持軸２に対応する両端部には、把持部２７をタッチパネル１５の面上に載置した際に該タッチパネル１５により開口下部２６の開口を塞いだ状態で面一に接触する鍔板部２８、２８が矩形平板状に設けられている。また、把持部２７の両側板４，５には、上下に長い楕円状の軸穴２９、２９が設けられ、前記支持軸２が当該各軸穴２９、２９間に回動可能に架設され、軸穴２９、２９に対しては上下動可能に遊嵌状態で軸受されている。さらに、鍔板部２８，２８を設ける一方の把持部側部３０には、支持軸２の両端部位を把持部２７内にて上方から弾発するばね端部位３１，３１と当該ばね端部位３１，３１を一体に有して前記側部３０を貫通して側部３０の外部面に接した状態で前記弾発を保持する上向きに屈曲し、さらに、所望位置より他方のばね端部位方向に屈曲した左右対称の棒ばね３２が固定されている。なお、図１２に図示するローラ体３は、６列の配置列線１７を有している。また、図１１において、ローラ体３は省略した。
【００４２】  本変形例における入力デバイス１では、棒ばね３２によって支持軸２が下方向へ弾発されているので、入力デバイス１を人手２０で持った状態では、支持軸２が軸穴２９，２９の下端へ押下されて開口下部２６から接触子１３の接触面１３’が飛び出した状態で位置付けらる（図１２の（ａ）参照）。続いて、入力デバイス１をタッチパネル１５に押さえつけた状態で載置すれば、接触子１３の接触面１３’がタッチパネル１５に密接すると共に、支持軸２は棒ばね３２の弾発に反して鍔板部２８，２８がタッチパネル１５に接触する位置まで軸穴２９，２９内を上方向へ押し上げられる（図１２の（ｂ）参照）。この状態を保持して、図１２の（ｃ）及び図１２の（ｄ）に示すように、入力デバイス１を転動させる。
【００４３】  本変形例では、入力デバイス１が安定してタッチパネル面へ密接するので、タッチパネル１５に対して正確に接触座標を与えることができる。また、把持部２７のカバーの形状を要望により任意の形状とすることができるので、ユーザのニーズに対応した入力デバイスを提供することができる。
【００４４】  本実施の形態では、入力デバイス１を認識させる接触動作において、タッチパネル１５面と対面する入力デバイス１の一の面を列毎に動的に替えることができる機構を採用したので、入力デバイス１を認識させる一連の接触動作においては、対面する前記一の面の数によって接触子の全体数を増やすことができる。
【００４５】  また、回動可能なローラ体の周回壁に接触子を複数配置してタッチパネル１５面上を転動する一連の接触動作を実施するようにしたので、接触子が列状にタッチパネル１５面に接触して順次接触情報が入力されるから、タッチパネル１５面と対面する面の広さを考慮することなく、前記周回壁６の広さに応じて接触子の配置列を増やすことができる。
【００４６】  また、周回壁６に配置される接触子１３のパターンが一つのパターン配置であっても、所望配置列を選別して異なる所望配置列に変更することによって、一つの入力デバイスを多様化して識別させることができる。
【００４７】  さらに、図６の（ｅ）に図示するように、一つの配置列線１７’上の嵌着孔１６間のピットを当該配置列線１７’と平行な他の配置列線１７上の嵌着孔１６間のピッチと異なるピッチにより形成し、当該ピッチの嵌着孔１６に接触子１３を嵌設してなる接触子列（所望配置列）を特定配置列１９とすれば、当該特定配置列１９は座標情報のより容易に特定できるので、本実施の形態における位置決め機構は必ずしも必要ではない。
【００４８】  実施の形態２．
【００４９】  周回壁６に周設してなる複数の接触子１３をタッチパネル１５に順次列毎に接触させる一連の転動による接触動作により、タッチパネル１５に対して時系列に当該列毎の接触情報を与える入力デバイス１と、タッチパネル１５を備えるスマートデバイス（コンピュータ）２１と含んで具備する入力デバイス特定システムを図面に基づいて説明する。
【００５０】  図１〜図６と同一符号は同一又は相当部分を示し、図１３及び図１４において、２１は、タッチパネル１５と表示パネル３３とを積層してなるパネルモジュール３４を表面に配置したスマートデバイスであり、パネルモジュール３４を固定する筐体縁部にはホームボタン３５（図４参照）、スピーカ３６、ＷｉＦｉ等の無線ＬＡＮを構築する通信部３７、外部デバイスを接続するＩ／Ｏインタフェース３８が取り付けられている。また、３９は、タッチパネル１５、表示パネル３３、スピーカ３６、通信部３７、Ｉ／Ｏインタフェース３８等を制御するＣＰＵ（制御部、演算部）であり、ＣＰＵ３９の制御によりスマートデバイス２１用ＯＳ（オペレーティングシステム）が実行され、ＧＰＵ４０を介して表示パネル３３に画像を表示させ、外部メモリ４１に格納された組込アプリケーション、インストールアプリケーション等が内部メモリ４２を介して実行される。さらに、ＣＰＵ３９は、タッチパネル１５において発生した静電容量変化をタッチイベントとして接触情報から得られる位置座標情報を前記ＯＳに渡す制御をしている。これにより、スマートデバイス１５では、接触情報の入力信号に基づき、前記周回壁６に配置された接触子１３に対応する各接触座標の座標情報を生成する。なお、電源部は省略した。
【００５１】  本実施の形態におけるスマートデバイス２１では、図１４に示すように、外部メモリ４１内に、前記座標情報に基づく接点情報４３（図５参照）及び／又は無接点情報４４（図５参照）からなる接点パターン配置列４５を入力デバイス１による一連の接触動作によって時系列に得られる順序で構成してなる接点パターン情報４６（図５参照）を記憶する接点パターン情報記憶部（接点パターン情報記憶手段：以下、「第一記憶部」ともいう。）４７と、タッチパネル１５に接触する接触子１３の列に基づく、周回壁６に周設された接触子１３の配置列からなる配列パターン情報４８（図６参照）と該配列パターン情報４８に含まれる入力デバイス１を特定する開始配置列となる特定配置列１９（図４参照）とを記憶する配列パターン情報記憶部（配列パターン情報記憶手段：以下、「第二記憶部」ともいう。）４９とが確保され、タッチパネル１５に接触した接触子１３の座標情報からなるタッチイベントをＯＳから取得するイベント取得プログラム（図１５参照）を格納する第一プログラム領域５０と、当該イベント取得プログラムよって取得した座標情報に基づいて前記接点パターン情報を生成してタッチパネル１５に接触した入力デバイス１を特定する、後述する入力デバイス特定プログラム（図１６参照）を格納する第二プログラム領域５１を備えている。
【００５２】  前記ＣＰＵ３９では、ダウンロードやインストールや操作等により入力される、前記入力デバイス１の嵌着孔１６の縦横列数を含む配列パターン情報４８、所望配置列１８及び特定配置列１９を前記第二記憶部４９へ格納し、同じく前記イベント取得プログラムを前記第一プログラム領域５０へ格納し、同じく前記入力デバイス特定プログラムを前記第二プログラム領域５１へ格納する制御と、前記イベント取得プログラムを実行して、入力デバイス１の一連の転動による接触動作によって順次得られる接触情報の座標情報から当該座標情報に基づいて時系列毎の接点位置及び無接点位置を演算し、例えば、図５に図示する、接点情報４３、無接点情報４４からなる接点パターン情報４６を得て前記第一記憶部４７に記憶させる制御と、接点パターン情報４６を構成する各列中に第二憶部４９に記憶されている特定配置列１９に相当する配列の接点パターン配置列４５が存在するか否かを判断する制御（第一判断手段）と、特定配置列１９に相当する配列の接点パターン配置列４５が存在すれば、当該接点パターン配置列４５を入力デバイス１を特定する認識開始列として当該接点パターン配置列４５を含んで当該接点パターン配置列４５以降に順次配列されている接点パターン配置列４５の群（横列一回り分の配置列）からなる接点パターン情報４６に相当する接触子１３の配置列が配列パターン情報４８に存在するか否かを判断する制御（第二判断手段）と、存在すると判断した場合に適合したことを表す画像を前記表示パネル３３に表示させる制御（表示制御手段）とを実行している。
【００５３】  従って、前記入力デバイス１における接触子１３の接触面１３’は、スマートデバイス２１においての接触動作後の接点情報４３に相当し、接触子１３を嵌設しない嵌着孔１６は、接触動作後の無接点情報４４に相当し、所望配置列１８及び特定配置列１９は、接触動作後の接点パターン配置列４５に相当し、配列パターン情報４８は、接点パターン情報４６に相当する。
【００５４】  次に、動作について説明する。
【００５５】  前記配列パターン情報４８、所望配置列１８及び特定配置列１９は第二記憶部４９に記憶され、前記イベント取得プログラムは第一プログラム領域４９に記憶され、前記入力デバイス特定プログラムは第二プログラム領域５１に記憶される。
【００５６】  先ず、図１５に示すように、ＣＰＵ３９の制御により、イベント取得プログラムが読み込まれてタッチイベント待ち状態にある（ステップｓ０１）。前記実施の形態１における一連の接触動作によって、タッチパネル１５の接触位置において静電容量変化が発生すれば、ＣＰＵ３９の制御により、静電容量が変化した接触位置のタッチパネル１５を基準とした座標情報がタッチイベントとして前記ＯＳに渡される。前記ＯＳに渡されたタッチイベントの座標情報を前記イベント取得プログラムによって取得する（ステップｓ０２）。
【００５７】  次いで、図１６に示すように、ＣＰＵ３９の制御により、入力デバイス特定プログラムが読み込まれ、前記イベント取得プログラムによって取得できた座標情報に基づいて、前記第二記憶部４９に記憶されている横８列縦４列の縦横列数から、当該座標情報に基づいて時系列毎の接点位置及び無接点位置を演算し、図５に図示する、接点情報４３と無接点情報４４を特定し（ステップｓ０３）、これらからなる接点パターン配置列４５を時系列に得て接点パターン情報４６として前記第一記憶部４７に記憶する（ステップｓ０４）。
【００５８】  続いて、ＣＰＵ３９の制御により、第二記憶部４９に記憶されている所望配置列１８に紐付けされている特定配置列１９に基づき、第一記憶部４７に記憶されている接点パターン情報４６を構成する各接点パターン配置列４５中から特定配置列１９と同じ配列の接点パターン配置列４５が存在するか否かを判断し（ステップｓ０５：第一判断手段）、特定配置列１９と同じ配列の接点パターン配置列４５が存在すると判断した場合には、この接点パターン配置列４５を入力デバイス１を特定する認識開始列として、前記縦横列数に基づき、この接点パターン配置列４５を含んでこの接点パターン配置列４５以降に配列されている接点パターン配置列４５の群からなる接点パターン情報４６を特定し（ステップｓ０６）、当該接点パターン情報４６が前記配列パターン情報４８に存在するか否かを判断し（ステップｓ０７：第二判断手段）、存在すると判断した場合に適合したことを表す画像を前記表示パネル３３に表示させる（ステップｓ０８：表示制御手段）。なお、ステップｓ０５及びステップｓ０７において該当しない場合にはエラー等を表示して（ステップｓ９）終了すればよい。
【００５９】  本実施の形態では、周回壁６に配置される接触子１３のパターンが一つのパターン配置であっても、所望配置列１８を選別して異なる所望配置列１８に変更することによって、入力デバイス１を多様化して識別させることができるので、一つの入力デバイスを複数の認証に用いることができる。また、例えば、チケットの認証において、認証するチケットの認証時間帯によって特定配置列１９を変更した認証パターンを使用して認証することによって、正規に取得されたものであるか否か等の判断に利用することができるので、セキュリティ上、有効である。
【００６０】  実施の形態３．
【００６１】  本実施の形態は、位置決め機構を設けない、回動可能な入力デバイス１と、少なくとも第一プログラム領域５０を設けるスマートデバイス２１と、前記入力デバイス１を特定する認証サーバ５２とを構築してなる入力デバイス特定システムについて説明する。図１〜図６、図１３及び図１４と同一符号は同一又は相当部分を示す。
【００６２】  前記スマートデバイス２１は、図１７に示すように、タッチイベント取得プログラムにより得られる座標情報を通信部（出力手段）３７を介して前記認証サーバ５２へ出力する。
【００６３】  認証サーバ５２は、図１８に示すように、主記憶部、演算部及び制御部を含んで構成されている中央演算処理部（ＣＰＵ）５３と、前記座標情報を受信すると共に、接点パターン情報４６と配列パターン情報４８が適合して入力デバイス１を特定できたことを表す画像をスマートデバイス２１の表示パネル３３に表示させる表示制御信号を出力する通信部（受信手段、出力手段）５４と、前記座標情報に基づく接点情報４３及び／又は無接点情報４４からなる接点パターン配置列４５を時系列に構成してなる接点パターン情報４６を記憶する第一情報記憶部（接点パターン情報記憶手段）５５と、入力デバイス１の周回壁６に周設された接触子１３の配置列からなる配列パターン情報４８と該配列パターン情報４８に含まれる所望配置列１８及び特定配置列１９とを記憶する第二情報記憶部（配列パターン情報記憶手段）５６と、図１６に図示する入力デバイス特定プログラムを格納するプログラム記憶部５７とを備えている。
【００６４】  そして、前記中央演算処理部５３は、通信部５４を介して得られる座標情報に基づき、スマートデバイス２１のＣＰＵ３９と同様に、時系列毎の接点位置及び無接点位置を演算し、図１９に示すように、接点パターン情報４６を含んでいる、接点情報４３及び／又は無接点情報４４からなる時系列の接点パターン配置列４５（以下、総称して「接点パターン配置列群５８」ともいう。）を得て、前記第一情報記憶部５５に記憶させる制御と、前記接点パターン配置列群５８の各列中に第二情報憶部５６に記憶されている特定配置列１９に相当する配列の接点パターン配置列４５が存在するか否かを判断する制御（第一判断手段）と、特定配置列１９に相当する配列の接点パターン配置列４５が存在すれば、前記第二情報記憶部５６に記憶されている配置列数に基づいて、当該接点パターン配置列４５を入力デバイス１を特定する認識開始列とし、該接点パターン配置列４５を含んで当該接点パターン配置列４５以降に順次配列されている接点パターン配置列４５中の接点パターン情報４６に相当する接触子１３の配置列が配列パターン情報４８に存在するか否かを判断する制御（第二判断手段）と、存在すると判断した場合に適合したことを表す画像５９を前記表示パネル３３に表示させる表示制御信号を出力する制御（出力手段）とを実行している。
【００６５】  次に、動作について説明する。
【００６６】  先ず、スマートデバイス２１において、図１５に図示するように、ステップｓ０１とステップｓ０２が実行され、認証サーバ５２へ座標情報が送信される。
【００６７】  認証サーバ５２の中央演算処理部５３では、前記座標情報に基づき、前記第二情報記憶部５６に記憶されている接触子１３のパターン配置の縦横列数から時系列毎の接点位置及び無接点位置を演算し、図１９に図示する、接点情報４３と無接点情報４４を特定し（図１６のステップｓ０３と同様のステップ）、これらからなる接点パターン配置列４５を時系列に得て接点パターン情報群５８として前記第一情報記憶部５５に記憶する（図１６のステップｓ０４と同様のステップ）。
【００６８】  続いて、中央演算処理部５３の制御により、第二情報記憶部５６に記憶されている所望配置列（支持軸２と平行な配置列線１７上の接触子列、すなわち、図１９に図示する接点パターン配置列４５に相当する列）１８と特定配置列（図１９に図示する接点パターン配置列４５ｃ及び４５ｉに相当する［１１１１］の情報列）１９に基づき、第一情報記憶部５５に記憶されている接点パターン情報４６を含んでいる接点パターン配置列４５ａ〜４５ｋ中（接点パターン配置列群５８）から特定配置列１９と同じ配列（情報列［１１１１］）に相当する接点パターン配置列４５ｃ又は４５ｉが存在するか否かを判断し（図１６のステップｓ０５と同様のステップ：第一判断手段）、特定配置列１９と同じ配列の接点パターン配置列４５が存在すると判断した場合には、図１９に示すように、前記縦横列数を考慮して接点パターン配置列４５ｃから順次連続する接点パターン配置列４５が得られている当該接点パターン配置列４５ｃを入力デバイス１を特定する認識開始列として、縦横列数に基づいて当該接点パターン配置列４５ｃを含んでこの接点パターン配置列４５ｃ以降に配列された接点パターン配置列４５ｃ〜４５ｈの群からなる接点パターン情報４６を特定し（図１６のステップｓ０６と同様のステップ）、図２０に示すように、当該接点パターン情報４６が前記配列パターン情報（情報列［１１１１］，［０１００］，［１０１０］，［０１００］，［１０１１］，［１１０１］）４８に存在するか否かを判断し（図１６のステップｓ０７と同様のステップ：第二判断手段）、存在すると判断した場合に適合したことを表す画像５９をスマートデバイス２１の表示パネル３３に表示させる表示制御信号を出力する（出力手段）。
【００６９】  次に、所望配置列及び特定配置列の変形例を図２１、図２２に基づいて説明する。
【００７０】  図２１においては、第二情報記憶部５６に支持軸２に対して角度を有して交差する配置列線１７に沿う所望配置列１８と図２１に図示する接点パターン配置列４５ｃに相当する特定配置列１９の情報列［０００１］）と情報列［０００１］，［１１１０］，［１０００］，［１１１０］，［０１０１］，［１１１１］からなる配列パターン情報４８が記憶されており、当該配列パターン情報４８に対して接点パターン配置列４５ｃ〜４５ｈからなる接点パターン情報４６が該当し、画像５９を表示させる表示制御信号を出力する。
【００７１】  また、図２２においては、第二情報記憶部５６に支持軸２に対して千鳥に交差する配置列線１７に沿う所望配置列１８と図２２に図示する接点パターン配置列４５ｃに相当する特定配置列１９の情報列［０１０１］と情報列［０１０１］，［１１１０］，［００００］，［１１１０］，［１００１］，［１１１１］からなる配列パターン情報４８が記憶されており、当該配列パターン情報４８に対して接点パターン配置列４５ｃ〜４５ｈからなる接点パターン情報４６が該当し、画像５９を表示させる表示制御信号を出力する。
【００７２】  本実施の形態においては、一つの入力デバイス１によって、複数の異なる特定処理を実行することができるので、一つの入力デバイスを多様化して識別させることができる。
【産業上の利用可能性】
【００７３】  本発明によれば、コンサート会場における複数の入場ゲートにおいて、同じ配列からなる一の入力デバイスを用いて入場ゲート毎の認証をすることができるから、客の動線把握に利用できる。
【符号の説明】
【００７４】  １  入力デバイス                            ２  支持軸
３  ローラ体                                ４  側板（一方側板）
４’  補助側板                              ５  側板（他方側板）
６  周回壁                                  ７  持ち手部
８、２７  把持部                            ９  端面（一方端面）
１０  端面（他方端面）                      １１  端周辺（一方端周辺）
１２  端周辺（他方端周辺）                  １３  接触子
１３’  接触面                              １４  ぜんまいバネ
１４ａ  内巻き側バネ端部位                  １４ｂ  外巻き側バネ端部位
１５  タッチパネル                          １６  嵌着孔
１７、１７’  配置列線                      １８  所望配置列
１９  特定配置列                            ２０  人手
２１  スマートデバイス（コンピュータ）      ２２、２５  ストッパー
２３  爪片                                  ２４  逆転防止爪
２６  開口下部                              ２８  鍔板部
２９  軸穴                                  ３０  把持部側部
３１  ばね端部位                            ３２  棒ばね
３３  表示パネル                            ３４  パネルモジュール
３５  ホームボタン                          ３６  スピーカ
３７  通信部                                ３８  Ｉ／Ｏインタフェース
３９  ＣＰＵ                                ４０  ＧＰＵ
４１  外部メモリ                            ４２  内部メモリ
４３  接点情報                              ４４  無接点情報
４５  接点パターン配置列                    ４６  接点パターン情報
４７  接点パターン情報記憶部（接点パターン情報記憶手段：第一記憶部）
４８  配列パターン情報
４９  配列パターン情報記憶部（配列パターン情報記憶手段：第二記憶部）
５０  第一プログラム領域                    ５１  第二プログラム領域
５２  認証サーバ                            ５３  中央演算処理部（ＣＰＵ）
５４  通信部（受信手段、出力手段）
５５  第一情報記憶部（接点パターン情報記憶手段）
５６  第二情報記憶部（配列パターン情報記憶手段）
５７  プログラム記憶部                      ５８  接点パターン配置列群
５９  画像
【図１】
2018092556.tif 000003
【図２】
2018092556.tif 000004
【図３】
2018092556.tif 000005
【図４】
2018092556.tif 000006
【図５】
2018092556.tif 000007
【図６】
2018092556.tif 000008
【図７】
2018092556.tif 000009
【図８】
2018092556.tif 000010
【図９】
2018092556.tif 000011
【図１０】
2018092556.tif 000012
【図１１】
2018092556.tif 000013
【図１２】
2018092556.tif 000014
【図１３】
2018092556.tif 000015
【図１４】
2018092556.tif 000016
【図１５】
2018092556.tif 000017
【図１６】
2018092556.tif 000018
【図１７】
2018092556.tif 000019
【図１８】
2018092556.tif 000020
【図１９】
2018092556.tif 000021
【図２０】
2018092556.tif 000022
【図２１】
2018092556.tif 000023
【図２２】
2018092556.tif 000024